(57)【要約】      （修正有）【課題】活性電子機器ユニットとシェルフのガイドレールとの間のガタツキを完全に吸収することが可能な電子機器用ケース、電子機器ユニット及び情報処理装置を提供する。【解決手段】電子機器用ケース２０’であって、第１の面１１４と、第１の押圧部を有する第２の面２６と、該第１の面１１４と第２の面２６を連結するプレート２８とを含み、その中に電子機器３０が取り外し可能にフィットするように適合したメインフレーム１１２と；第２の押圧部４８を有し、前記第２の面２６に沿ってスライド可能に該第２の面２６に取り付けられたフィットプレート４４と；前記フィットプレート４４に作動的に連結されるように前記プレート２８の第１端部にその第１端部が回動可能に取り付けられたフィットレバー７０’とを具備する。【選択図】図９
2007067426.tif 000002
【特許請求の範囲】
【請求項１】
電子機器用ケースであって、
第１の面と、第１の押圧部を有する第２の面と、該第１の面と第２の面を連結するプレートとを含み、その中に電子機器が取り外し可能に取り付けられるメインフレームと；
第２の押圧部を有し、前記第２の面に沿ってスライド可能に該第２の面に取り付けられたフィットプレートと；
前記フィットプレートに作動的に連結されるように前記プレートの第１端部にその第１端部が回動可能に取り付けられたフィットレバーとを具備し；
前記フィットレバーは前記フィットプレートの前記第２の押圧部が前記第２の面の前記第１の押圧部に干渉しない引き起こし位置と、前記フィットプレートをスライドさせて前記第２の押圧部が前記第２の面の前記第１の押圧部に乗り上げる押し込み位置との間で移動可能であることを特徴とする電子機器用ケース。
【請求項２】
前記フィットプレートは長穴を有し、前記フィットレバーは穴を有しており、
前記フィットプレートの前記長穴及び前記フィットレバーの前記穴中に挿入されて前記フィットプレートを前記フィットレバーに作動的に連結するピンを更に具備した請求項１記載の電子機器用ケース。
【請求項３】
電子機器用ケースであって、
電子機器が取り外し可能に装着される略Ｕ形状のフレームと、
前記フレームの第１外壁に対して垂直な方向に移動可能に該第１外壁に取り付けられたプレートと、
前記プレートに作動的に連結されるように前記フレームに回動可能に取り付けられたレバーと、
を備え、
前記レバーは、前記プレートを移動させて該プレートと前記フレームの前記第１外壁に対向する第２外壁間を第１の距離とする第１位置と第２の距離とする第２位置との間で移動可能であることを特徴とする電子機器用ケース。
【請求項４】
電子機器と、前記電子機器が取り外し可能に取り付けられる電子機器用ケースとを備える電子機器ユニットであって、
前記電子機器用ケースが、
第１の面と、第１の押圧部を有する第２の面と、該第１の面と第２の面を連結するプレートとを含み、その中に電子機器が取り外し可能に取り付けられるフレームと；
前記第１の押圧部に対向する位置に配置される第２の押圧部を有し、前記第２の面に沿ってスライド可能に該第２の面に取り付けられたフィットプレートと；
前記プレートに回動可能に取り付けられ、その回動によって前記フィットプレートを前記第２の面に対してスライドさせるフィットレバーとを具備し；
前記フィットレバーは、第１の位置にあるときには前記第２の押圧部が前記第１の押圧部に干渉しない位置に前記フィットプレートをスライドさせ、第２の位置にあるときには前記第２の押圧部が前記第１の押圧部に干渉する位置に前記フィットプレートをスライドさせることを特徴とする電子機器ユニット。
【請求項５】
電子機器が取り付けられる電子機器用ケースを備える電子機器ユニットを有する情報処理装置であって、
前記電子機器用ケースが、
第１の面と、第１の押圧部を有する第２の面と、該第１の面と第２の面を連結するプレートとを含み、その中に電子機器が取り外し可能に取り付けられるフレームと；
前記第１の押圧部に対向する位置に配置される第２の押圧部を有し、前記第２の面に沿ってスライド可能に該第２の面に取り付けられたフィットプレートと；
前記プレートに回動可能に取り付けられ、その回動によって前記フィットプレートを前記第２の面に対してスライドさせるフィットレバーとを具備し；
前記フィットレバーは、第１の位置にあるときには前記第２の押圧部が前記第１の押圧部に干渉しない位置に前記フィットプレートをスライドさせ、第２の位置にあるときには前記第２の押圧部が前記第１の押圧部に干渉する位置に前記フィットプレートをスライドさせることを特徴とする情報処理装置。
【発明の詳細な説明】
【技術分野】
【０００１】
本発明は一般的に電子機器を内部に収容するケースに関し、特に、サーバ及びワークステーション等のコンピュータに対して取り外し可能に搭載可能なハードディスクドライブ（ＨＤＤ）を内部に収容するケースに関する。
【背景技術】
【０００２】
近年、コンピュータ用外部記憶装置の一種であるＨＤＤの小型化及び大容量化が望まれている。ＨＤＤの大容量化のためには、スピンドルに取り付けられる磁気ディスクの枚数を増やすのが一つの方法であり、これにともない最近のＨＤＤではディスクの実装間隔が小さくなってきている。
【０００３】
ＨＤＤは、今後更に大容量化及び高速化が進み、ディスクドライブの微細なヘッドの揺れがディスク上の隣接するトラックを侵犯してデータの読み違い又はデータ化け等のオフトラック障害を引き起こす恐れがある。このオフトラック障害はディスクドライブ自身のスピンドルモータの振動等によっても発生する。
【０００４】
サーバ及びワークステーション等のホストコンピュータでは、ローカルエリアネットワーク（ＬＡＮ）等の通信ネットワークを介して数多くの下位コンピュータに接続されており、ホストコンピュータの電源を入れたままでディスクドライブユニットを収容するシェルフに対してディスクドライブユニットを容易に挿抜可能な、いわゆる活性ディスクドライブユニットが採用されている。
【０００５】
活性ディスクドライブユニットは、ハードディスクドライブ等のディスクドライブと、該ディスクドライブを内部に収容するケースから構成されており、ホストコンピュータの電源を断たずにコンピュータ内に収容されたシェルフに対して必要に応じて挿抜される。
【０００６】
従来の活性ディスクドライブ用のケースはプラスチックモールドで製作されており、一体的にモールド成形された複数の切起こし部を有している。これらの切起こし部をディスクドライブユニットを収容するシェルフに形成されたガイドレールに押し当てて、プラスチックのバネ作用を利用して振動を緩和させている。
【発明の開示】
【発明が解決しようとする課題】
【０００７】
従来のプラスチックのバネアクションを利用した振動緩和方法では、シェルフのガイドレールと活性ディスクドライブユニット間のガタツキを完全に吸収することが出来ず、このガタツキによりスピンドルモータ又はコンピュータ内の冷却ファン等の振動に基くヘッドの揺れを増幅させることがあり、ヘッドのオフトラック障害を回避することができないという問題があった。
【０００８】
よって、本発明の目的は、活性電子機器ユニットとシェルフのガイドレールとの間のガタツキを完全に吸収することが可能な電子機器用ケースを提供することである。
【課題を解決するための手段】
【０００９】
請求項１記載の発明によると、電子機器用ケースであって、第１の面と、第１の押圧部を有する第２の面と、該第１の面と第２の面を連結するプレートとを含み、その中に電子機器が取り外し可能に取り付けられるメインフレームと；第２の押圧部を有し、前記第２の面に沿ってスライド可能に該第２の面に取り付けられたフィットプレートと；前記フィットプレートに作動的に連結されるように前記プレートの第１端部にその第１端部が回動可能に取り付けられたフィットレバーとを具備し；前記フィットレバーは前記フィットプレートの前記第２の押圧部が前記第２の面の前記第１の押圧部に干渉しない引き起こし位置と、前記フィットプレートをスライドさせて前記第２の押圧部が前記第２の面の前記第１の押圧部に乗り上げる押し込み位置との間で移動可能であることを特徴とする電子機器用ケースが提供される。
【００１０】
請求項２記載の発明によると、請求項１記載の発明において、前記フィットプレートは長穴を有し、前記フィットレバーは穴を有しており、前記フィットプレートの前記長穴及び前記フィットレバーの前記穴中に挿入されて前記フィットプレートを前記フィットレバーに作動的に連結するピンを更に具備したことを特徴とする電子機器用ケースが提供される。
【００１１】
請求項３記載の発明によると、電子機器用ケースであって、電子機器が取り外し可能に装着される略Ｕ形状のフレームと、前記フレームの第１外壁に対して垂直な方向に移動可能に該第１外壁に取り付けられたプレートと、前記プレートに作動的に連結されるように前記フレームに回動可能に取り付けられたレバーと、を備え、前記レバーは、前記プレートを移動させて該プレートと前記フレームの前記第１外壁に対向する第２外壁間を第１の距離とする第１位置と第２の距離とする第２位置との間で移動可能であることを特徴とする電子機器用ケースが提供される。
【００１２】
請求項４記載の発明によると、電子機器と、前記電子機器が取り外し可能に取り付けられる電子機器用ケースとを備える電子機器ユニットであって、前記電子機器用ケースが、第１の面と、第１の押圧部を有する第２の面と、該第１の面と第２の面を連結するプレートとを含み、その中に電子機器が取り外し可能に取り付けられるフレームと；前記第１の押圧部に対向する位置に配置される第２の押圧部を有し、前記第２の面に沿ってスライド可能に該第２の面に取り付けられたフィットプレートと；前記プレートに回動可能に取り付けられ、その回動によって前記フィットプレートを前記第２の面に対してスライドさせるフィットレバーとを具備し；前記フィットレバーは、第１の位置にあるときには前記第２の押圧部が前記第１の押圧部に干渉しない位置に前記フィットプレートをスライドさせ、第２の位置にあるときには前記第２の押圧部が前記第１の押圧部に干渉する位置に前記フィットプレートをスライドさせることを特徴とする電子機器ユニットが提供される。
【００１３】
請求項５記載の発明によると、電子機器が取り付けられる電子機器用ケースを備える電子機器ユニットを有する情報処理装置であって、前記電子機器用ケースが、第１の面と、第１の押圧部を有する第２の面と、該第１の面と第２の面を連結するプレートとを含み、その中に電子機器が取り外し可能に取り付けられるフレームと；前記第１の押圧部に対向する位置に配置される第２の押圧部を有し、前記第２の面に沿ってスライド可能に該第２の面に取り付けられたフィットプレートと；前記プレートに回動可能に取り付けられ、その回動によって前記フィットプレートを前記第２の面に対してスライドさせるフィットレバーとを具備し；前記フィットレバーは、第１の位置にあるときには前記第２の押圧部が前記第１の押圧部に干渉しない位置に前記フィットプレートをスライドさせ、第２の位置にあるときには前記第２の押圧部が前記第１の押圧部に干渉する位置に前記フィットプレートをスライドさせることを特徴とする情報処理装置が提供される。
【発明の効果】
【００１４】
請求項１乃至３記載の電子機器用ケースによると、例えば活性ディスクドライブユニットをコンピュータに搭載したシェルフ内で強固に固定することができ、スピンドルモータ等の振動に起因するヘッドの揺れが増幅されることがなく、ヘッドのオフトラック障害を有効に防止することができる。
【発明を実施するための最良の形態】
【００１５】
図１を参照すると、本発明の活性ディスクドライブユニットを搭載したサーバの外観斜視図が示されている。サーバ２のメインフレーム４には一対のパネルカバー６ａ，６ｂと，同じく一対の前部カバー８ａ，８ｂが取り付けられている。符号１０はフロッピーディスクドライブを示しており、１２は操作パネルを示している。
【００１６】
図２にはパネルカバー６ａ，６ｂ、前部カバー８ａ，８ｂ、フロッピーディスクドライブ１０及び操作パネル１２を取り外した状態のサーバの外観斜視図が示されており、活性ディスクドライブユニットの実装方法を説明している。
【００１７】
１４は複数のガイドレール１６を有するシェルフであり、これらのガイドレール１６に沿って活性ディスクドライブユニット１８がシェルフ１４内に挿入される。
【００１８】
実際には、シェルフ１４はサーバ２のメインフレーム４内に収容されており、前部カバー８ａ，８ｂを開いて、活性ディスクドライブユニット１８をシェルフ１４内に挿入し、又はシェルフ１４から抜き出す。符号１９は冷却ファンである。
【００１９】
サーバ２は、図示しないローカルエリアネットワーク（ＬＡＮ）等の通信ネットワークを介して複数の下位コンピュータ等に接続されているため、各活性ディスクドライブユニット１８のシェルフ１４に対する挿抜はサーバ２の電源がオンのままで行われる。
【００２０】
図３を参照すると、本発明実施形態に係る活性ディスクドライブユニット１８の斜視図が示されており、図４は図３と反対側からの斜視図を示している。図５は活性ディスクドライブユニット１８の分解斜視図を示している。
【００２１】
活性ディスクドライブユニット１８はケース２０と、ケース２０内に収容されたハードディスクドライブ（ＨＤＤ）３０から構成される。主に図５を参照すると、ケース２０は樹脂モールド成形されたメインフレーム２２を含んでいる。
【００２２】
メインフレーム２２は開口２３と、上壁２４と、底壁２６と、上壁２４及び低壁２６を連結する一対の前部プレート２８を有している。メインフレーム２２内にはＨＤＤ３０がガタツキなく丁度フィットして収容される。
【００２３】
上壁２４の上面には一対のガイド溝３２と、等ピッチ間隔の複数の係合突起３４が形成されている。同様に、底壁２６の底面には特に図示しないが一対のガイド溝と、等ピッチ間隔の複数の係合突起が形成されている。
【００２４】
符号３６は樹脂モールドから形成された上部フィットプレートであり、その前端部に一対の取り付け部３８を有している。各取り付け部３８には上部フィットプレート３６の長手方向に伸長した長穴４０と、該長穴４０に対して垂直方向に伸長した長穴４２が形成されている。
【００２５】
上部フィットプレート３６の下面には、上壁２４のガイド溝３２に係合する一対のガイドレールと、上壁２４の係合突起３４と同一ピッチの複数の係合突起が形成されている。
【００２６】
下部フィットプレート４４は上部フィットプレート３６と同一形状をしており、樹脂モールドにより形成される。下部フィットプレート４４の上面には底壁２６に形成された一対のガイド溝に嵌合する一対のガイドレール４６と、底壁２６の複数の係合突起と同一ピッチの複数の係合突起４８が形成されている。
【００２７】
下部フィットプレート４４の前端部には一対の取り付け部５０が一体的に形成されており、各取り付け部５０は下部フィットプレート４４の長手方向に伸長する長穴５２と、長穴５２に対して垂直方向に伸長する長穴５４を有している。
【００２８】
メインフレーム２２の各前部プレート２８の概略中央部にはオペレーターの指の挿入を許容する概略半円状の切欠５６が形成されている。更に、各前部プレート２８の上端部及び下端部にはそれぞれ穴５８，６０が形成されている。
【００２９】
符号６２は樹脂モールドにより形成された第１フィットレバーを示しており、概略Ｃ形状のスロット６４と２個の穴６６，６８を有している。第２フィットレバー７０も同様に樹脂モールドにより形成されており、その下端部に２個の穴７２，７４と、上端部に１個の穴７６を有している。
【００３０】
樹脂モールド成形されたブロック７８は２個の突起８０，８２と、穴８４と，長穴８６を有している。ブロック７８と同一形状のブロック８８は２個の突起９０，９２と，穴９４と、長穴９６を有している。
【００３１】
ケース２０を組み立てるには、上部フィットプレート３６の一対の取り付け部３８の間に第１フィットレバー６２とブロック７８を挿入し、ピン１００を取り付け部３８の長穴４２、第１フィットレバー６２の穴６８、ブロック７８の長穴８６中に挿入する。これにより、第１フィットレバー６２及びブロック７８が上部フィットプレート３６の取り付け部３８に取り付けられる。
【００３２】
次いで、上部フィットプレート３６のガイドレールを上壁２４のガイド溝３２中に挿入し、更にピン１０２をメインフレーム２２の穴５８、上部フィットプレート３６の長穴４０、第１フィットレバー６２の穴６６及びブロック７８の穴８４中に挿入する。これにより、上部フィットプレート３６、第１フィットレバー６２及びブロック７８がメインフレーム２２に取り付けられたことになる。
【００３３】
次いで、下部フィットプレート４４の一対の取り付け部５０の間に第２フィットレバー７０及びブロック８８を挿入し、ピン１０４を下部フィットプレート４４の長穴５４、第２フィットレバー７０の穴７４及びブロック８８の長穴９６中に挿入する。これにより、第２フィットレバー７０及びブロック８８が下部フィットプレート４４の取り付け部５０に取り付けられたことになる。
【００３４】
次いで、メインフレーム２２の底壁２６のガイド溝中に下部フィットプレート４４のガイドレール４６をスライド挿入し、更にピン１０８をメインフレーム２２の穴６０、下部フィットプレート４４の長穴５２、第２フィットレバー７０の穴７２及びブロック８８の穴９４中に挿入する。
【００３５】
これにより、下部フィットプレート４４、第２フィットレバー７０及びブロック８８がメインフレーム２２に取り付けられたことになる。最後に、ピン１０６を第１フィットレバー６２のスロット６４及び第２フィットレバー７０の穴７６中に挿入し、第１フィットレバー６２と第２フィットレバー７０を連結して、ケース２０が完成する。
【００３６】
このケース２０中にＨＤＤ３０を挿入すると、ＨＤＤ３０はケース２０のメインフレーム２４内に何らのガタ無く丁度フィットし、図３及び図４に示すようなディスクドライブユニット１８が得られる。
【００３７】
図６を参照すると、第１及び第２フィットレバー６４，７０を起こした状態のディスクドライブユニット１８の側面図が示されている。この状態でディスクドライブユニット１８をシェルフ１４のガイドレール１６に沿って、シェルフ１４中に挿入する。
【００３８】
第１及び第２フィットレバー６４，７０が図６に示すように起こされた状態では、図８（Ａ）に示すように上部フィットプレート３６の各係合突起３７はメインフレーム２２の上壁２４の各係合突起３４の間に位置していることになる。
【００３９】
よって、上部フィットプレート３６とシェルフ１４との間には約０．５ｍｍ程度の隙間１１０が存在するため、第２フィットレバー７０を押すことによりディスクドライブユニット１８はシェルフ１４中に容易に挿入される。この状態では、図６に示すようにピン１０２，１０８はそれぞれ長穴４０，５２の右端に位置することになる。このときの上部フィットプレート３６と下部フィットプレート４４との間の距離はｗ１である。
【００４０】
この状態から第２フィットレバー７０を更に押しこむと、ピン１０６は第１フィットレバー６２のＣ形状スロット６４に沿って移動しながら第１フィットレバー６２も押しこまれる。
【００４１】
この第１及び第２フィットレバー６２，７０は押し込み動作に応じて、ディスクドライブユニット１８がシェルフ１４内に挿入されて行く。
【００４２】
図７に示すように、第１及び第２フィットレバー６２，７０を一杯に押しこむと、上部フィットプレート３６及び下部フィットプレート４４が図６及び図７で右方向にスライドし、第１及び第２フィットレバー６２，７０がメインフレーム２２の一対の前部プレート２８の間に収容される。このとき、ピン１０２，１０８はそれぞれ長穴４０，５２の左端に位置することになる。
【００４３】
上部フィットプレート３６及び下部フィットプレート４４が右方向にスライドすると，図８（Ｂ）に示すように上部フィットプレート３６の各係合突起３７が上壁２４の各係合突起３４に乗り上げることになる。
【００４４】
その結果、上部フィットプレート３６は上方（図６、図７、図８のｎ１方向）に移動し、シェルフ１４に強固に押しつけられることになる。下部フィットプレート４４も同様に下方（図６、図７のｎ２方向）に移動し、シェルフ１４に強固に押しつけられる。このときの上部フィットプレート３６と下部フィットプレート４４との間の距離はｗ２（＞ｗ１）である。
【００４５】
よって活性ディスクドライブユニット１８は全くガタ無くシェルフ１４内に強固に保持され、ディスクドライブユニット１８のスピンドルモータ等に起因する振動が増幅されることが無く、ヘッドのオフトラック障害を有効に回避することができる。
【００４６】
活性ディスクドライブユニット１８をシェルフ１４内から抜き取る場合には指をメインフレーム２２の前部プレート２８に形成された半円状切欠５６に入れて、第２フィットレバー７０を強く引っ張る。
【００４７】
これにより、ブロック７８の突起８０及びブロック８８の突起９０がシェルフ１４に係合し、第２フィットレバー７０を引くと梃子の原理で活性ディスクドライブユニット１８はシェルフ１４内から容易に抜き出される。
【００４８】
この抜き出された状態では、第１および第２フィットレバー６２，７０は図６に示すたち上がり位置となり、上部フィットプレート３６及び下部フィットプレート４４は左方に移動して、それぞれの係合突起３７、４８は上壁２４及び底壁２６の係合突起の間に位置付けされることになる。
【００４９】
図９を参照すると、本発明第２実施形態の活性ディスクドライブ用ケース２０´の分解斜視図が示されている。本実施形態はフィットプレートを片側にのみ有する場合であり、上述した第１実施形態と同一構成部分については同一符号を付して説明する。
【００５０】
メインフレーム１１２は開口２３と上壁１１４と、底壁２６と、上壁１１４及び底壁２６を連結する一対の前部プレート２８を含んでいる。本実施形態では、底壁２６にフィットプレート４４がスライド可能に取り付けられる。勿論、上壁２４にフィットプレート３６をスライド可能に取り付けてもよい。
【００５１】
よって、底壁２６の底面には、フィットプレート４４の一対のレール４６が挿入される一対のガイド溝と、フィットプレート４４の複数の係合突起４８と同一ピッチで形成された複数の係合突起が形成されている。上壁１１４にはこれらのガイド溝及び係合突起は形成されていない。
【００５２】
ケース２０´を組み立てるには、フィットプレート４４の一対の取りつけ部５０の間にフィットレバー７０´及びブロック８８を挿入し、ピン１０４をフィットレバー４４の取り付け部５０の長穴５４、フィットレバー７０´の穴７４及びブロック８８の長穴９６中に挿入する。これにより、フィットレバー７０´及びブロック８８がフィットプレート４４に取り付けられたことになる。
【００５３】
次いで、フィットプレート４４のレール４６を底壁２６のガイド溝中に挿入して、フィットプレート４４をメインフレーム１１２の底壁２６にスライド可能に取りつける。
【００５４】
更にピン１０８をメインフレーム１１２の前部プレート２８の穴６０、フィットプレート４４の長穴５２、フィットレバー７０´の穴７２及びブロック８８の穴９４中に挿入し、ディスクドライブ用ケース２０´が完成する。
【００５５】
本実施形態の作用については上述した第１実施形態と概略同様である。即ちフィットレバー７０´を引き起こすと、底壁２６に形成された係合突起がフィットプレート４４の係合突起４８の間に位置付けされる。この状態で、ケース２０´内にＨＤＤ３０を収容したディスクドライブユニット１８´をシェルフ１４内に挿入する。
【００５６】
フィットレバー７０´を押しながらディスクドライブユニット１８´をシェルフ１４内に挿入する。フィットレバー７０´が一対の前部プレート２８の間に収容される押し込み位置まで完全に倒されると、フィットプレート４４がスライドしてその係合突起４８がメインフレーム１１２の低壁２６に形成された係合突起に乗り上げる。
【００５７】
これにより、ケース２０´の高さ方向の距離が拡大し、ディスクドライブユニット１８´はシェルフ１４内で強固に保持されることになる。よって、スピンドルモータ等に起因する振動が増幅されることが無く、ヘッドのオフトラック障害を有効に回避することができる。
【００５８】
以上の説明では、活性ディスクドライブを内部に収容するディスクドライブ用ケースについて説明してきたが、本発明のケースの使用方法はこれに限定されるものではなく、一般的な電子機器を内部に収容することも可能である。
【図面の簡単な説明】
【００５９】
【図１】本発明が適用可能なサーバの外観斜視図である。
【図２】カバーを取り外した状態のサーバの外観斜視図であり、活性ディスクドライブユニットの実装方法を説明している。
【図３】本発明第１実施形態のディスクドライブ用ケースを使用した活性ディスクドライブユニットの斜視図である。
【図４】図３の反対側から見た活性ディスクドライブユニットの斜視図である。
【図５】本発明第１実施形態のディスクドライブ用ケースの分解斜視図である。
【図６】フィットレバーを起こした状態の活性ディスクドライブユニットの側面図である。
【図７】フィットレバーを倒した状態の活性ディスクドライブユニットの側面図である。
【図８】図８（Ａ）はフィットレバーを起こした状態の上壁とフィットプレートとの相互関係を説明する断面図、図８（Ｂ）はフィットレバーを倒した状態の上壁とフィットプレートとの相互関係を説明する断面図である。
【図９】本発明第２実施形態のディスクドライブ用ケースの分解斜視図である。
【符号の説明】
【００６０】
１４  シェルフ
１８  活性ディスクドライブユニット
２０  ケース
２２  メインフレーム
２４  上壁
２６  底壁
３０  ＨＤＤ
３４，４８  係合突起
３６  上部フィットプレート
４４  下部フィットプレート
６２  第１フィットレバー
７０  第２フィットレバー
７８，８８  ブロック
【図１】
2007067426.tif 000003
【図２】
2007067426.tif 000004
【図３】
2007067426.tif 000005
【図４】
2007067426.tif 000006
【図５】
2007067426.tif 000007
【図６】
2007067426.tif 000008
【図７】
2007067426.tif 000009
【図８】
2007067426.tif 000010
【図９】
2007067426.tif 000011